(57)【要約】      （修正有）【課題】複数の容量の計量を一本のスプーンの一端かつ一面のみに集約し、さらに使用後に洗い易い大小兼用計量スプーンを提供する。【解決手段】計量スプーンの受け皿１に段差２を設け、鏡餅を逆さまにした形状にする。受け皿内の段差の境目までの容量を小さじ一杯の容量とし、段差を超え、受け皿全体での容量を大さじ一杯の容量とする。大さじ小さじ以外の容量は、受け皿内の適所に刻印を入れ容量を示す。数種類の計量を一本に集約した上、容量が変わる度の操作を必要とせず、更に使用面が一面のみである為、持ち直すことなく連続使用ができ、洗浄や後片付けまでを考え、接続部や仕切り板を設けず、受け皿から柄３までを一体化したシンプルな形状にした。【選択図】図１
2012223548.tif 000002
【特許請求の範囲】
【請求項１】
受け皿部に段差を設け、受け皿を上下二段階にした大小兼用計量スプーン。
【請求項２】
段差境目より上部下部それぞれの受け皿内に容量を示す刻印をし、容量を細分化させた請求項１の大小兼用計量スプーン。
【発明の詳細な説明】
【技術分野】
【０００１】  本発明は、調理時における大さじ小さじなどの調味料計量を、受け皿に段差を設けることで、スプーンの一端一面に集約させることを可能とした、大小兼用計量スプーンに関するものである。
【背景技術】
【０００２】  調理時において、調味料の計量には大さじ、小さじなど複数本を必要とした。
それら複数の計量スプーンをリングで纏めたものや、柄にマグネットを設けて纏めることを可能としたもの（特許文献１参照）、柄に孔をあけボルトとナットで固定するものがある（特許文献２参照）。【０００３】  また、大さじ小さじ、それぞれの受け皿を一本のスプーンに集約したものでは、スプーンの両端に異なる容量の受け皿を振り分けたものや、小さじ容量のスプーンの上縁に対して、柄に設けた支点より回転させた側部を積層して嵩を増し、容量を変えるものがある（特許文献３参照）。更に、受け皿の裏面に窪みを設け、裏面計量を可能としたもの（特許文献４参照）、受け皿に二つの容量室を設け、擦りきり板を操作するもの（特許文献５参照）、受け皿を仕切り板によって三分割にしたもの（特許文献６参照）、受け皿を蛇腹状にしたものがある（特許文献７参照）。【０００４】  極めてシンプルな構造としては、通常のスプーンの受け皿に容量目盛を刻んだだけのものがある（特許文献８参照）。
【先行技術文献】
【０００５】
【特許文献１】  特開２００７−２２５５８０
【特許文献２】  特開平１１−８３５９２
【特許文献３】  特開２００４−１２４５３
【特許文献４】  実開平６−６９７５０
【特許文献５】  特開２００３−２３２６６５
【特許文献６】  登実第３１２５８１１号
【特許文献７】  実開平６−８２５２３
【特許文献８】  特開２００７−１０８１８６
【発明の概要】
【発明が解決しようとする課題】
【０００６】  従来、調味料の計量には、容量の異なる計量スプーン複数本を必要としていた。手早く調理するために、使い勝手の良さが求められる一般家庭での食事作りでは、複数の計量スプーンをリングやマグネットで一纏めにしたものでは、使用時には其々を持ち替える必要があり、洗い物を含めた後片付けまでを考えると便利とは言えない。【０００７】  複数本の計量スプーンを一本に集約することが望ましいが、支点を設け複数の受け皿を重ねたものや、受け皿の上縁に側部を積層して容量を変えるもの、更に受け皿を蛇腹にして伸縮させることで容量を変えるものでは、容量が変わる度に操作を必要とし、その都度の手間を要する。また容量室を二つ設け、その上部に擦り切り板をスライドさせて、大さじ量と小さじ量を使い分けるものは、主に粉粒体への対応に考えられたものであり、醤油、酒、みりん等、家庭料理には欠かせない調味料への使用には、構造がシンプルとは言えない。【０００８】  以上のものは、容量が変わる度、持ち替える、スライドさせる、回転させる等の一手間が加わるものであり、受け皿内を仕切り板で容量別に三分割したものは、操作する手間は無いが、受け皿内に壁が生じたことで洗い易いとは言えなくなる。家庭の台所で求められるのは、大さじ１５グラム小さじ５グラムの容量を、至極正確に量れる複雑な構造よりも、手早く調理ができて使い勝手が良く、洗い易いシンプルな形状である。
本発明は以上の問題点を解決するものである。
【課題を解決するための手段】
【０００９】    計量スプーンの受け皿に段差を設け、鏡餅を逆さまにしたイメージの形状にする。受け皿の段差の境目までが小さじ容量、境目を越えて受け皿の上縁まで達して、大さじ容量となる。鏡餅を逆さまにした形状で説明すると、下のコブ一杯で５グラムの小さじ容量、上のコブまで満杯にして１５グラムの大さじ容量となる。更に細かく下コブ内の２・５グラムの適所に容量線を刻み、小さじ二分の一容量、上コブ内の７．５グラムの適所に容量線を刻み、大さじ二分の一容量となる。【００１０】  複数本の計量スプーンを、一本の計量スプーンの片方の片面に集約する。
以上の構成よりなる大小兼用計量スプーン。
【発明の効果】
【００１１】  スプーンの受け皿を段差式にしたことにより、大さじ容量、小さじ容量を一端に集約した。更に受け皿の適所に容量線を刻むことにより、複数の計量をスプーンの一端の、一面にて行うことができる。【００１２】  一本のスプーンに受け皿が一つである為、計量する容量が変わる度に他のスプーンに持ち替える必要がなく、回転させたりスライドさせたり蛇腹を伸ばしたり等の操作を伴わない。受け皿が一つであり、その使用面も一面であるので、使用状態を変えずに連続して使用することができる。【００１３】  また形状がシンプルであり、受け皿内に仕切り板も存在しないので容易に洗うことができる。調理時および洗浄を含めた後片付けまでを考えると、手早く使えて使い勝手が良く、形状がシンプルで洗い易い。忙しい朝のお弁当作り等では時短効果も期待できる。【００１４】  家庭料理で主に使用する醤油、酒、お酢、みりん等の液体調味料に対して特に使い易く、其々の調味料を手早く連続使用することができる。他に主に使う調味料として砂糖、塩等の粉粒体のものがあるが、擦り切り板を設け、至極正確に量るよりも、手早く使えて洗い易いシンプルな形状を重視した。また砂糖、塩は専用の容器に移し替え、その容器に専用のスプーンが用意されているケースが多い。仮に醤油などの液体調味料に特化した使用でも、充分使用効果は期待できる。
【図面の簡単な説明】
【０００１５】
【図１】本発明の斜視図
【図２】図１におけるＡ−Ａ断面図
【図３】本発明の横から見た図
【図４】本発明の前から見た図
【図５】図１におけるＢ−Ｂ断面図
【図６】本発明の斜視図
【発明を実施するための形態】
【００１５】  以下、本発明の実施の形態を説明する。
（イ）受け皿（１）に段差（２）を設け、鏡餅を逆さにした形状にし、段差（２）までの      容量を小さじ容量（４）とし、受け皿（１）の上縁までの容量で大さじ容量（５）      とする。
（ロ）更に容量を細分化するために、受け皿（１）内の各適所に容量刻印（７）を入れ、      大さじ小さじ以外の容量の位置を示す。
（ハ）受け皿（１）内の段差（２）の境目に境目印（６）を施すことで、注ぎ入れた調味      料が小さじ容量（４）を満たしたことを、より分かり易く使用者に示す。
（ニ）柄（３）から受け皿（１）まで、接続部や仕切り板などを持たない一体型である。
本発明は以上のような構造である。
【００１６】  本発明を使用するときは、例えば醤油小さじ一杯、酒大さじ一杯、みりん中さじ一杯の場合、受け皿（１）に醤油を注ぎ入れ、段差（２）の境目までが小さじ容量（４）であるから、注ぎ入れた醤油が段差（２）に達し、刻印された境目印（６）の花模様に醤油が滲み始めた時が、小さじ容量（４）を満たしたこととなる。鍋等に醤油を投入し、続いて酒を受け皿（１）に注ぐ。大さじ一杯は注ぎ入れた酒が段差（２）を超えて、受け皿（１）の上縁に達して大さじ容量（５）となる。鍋等に酒を投入し、続いてみりんを受け皿（１）に注ぐ。中さじ一杯は１０グラムであるから、注ぎ入れたみりんが段差（２）を超えて、受け皿（１）の内側に刻まれた容量刻印（７）の１０グラム表示の位置まで注いで、中さじ容量となる。
【符号の説明】
【０００１７】  １受け皿
２段差
３柄
４小さじ容量
５大さじ容量
６境目印
７容量刻印
【図１】
2012223548.tif 000003
【図２】
2012223548.tif 000004
【図３】
2012223548.tif 000005
【図４】
2012223548.tif 000006
【図５】
2012223548.tif 000007
【図６】
2012223548.tif 000008